(57)【要約】      （修正有）【課題】ストロボ使用連続撮影時のコマ間表示において、撮影者が撮影対象を確認した状態で次コマの撮影を行うことを可能にしたデジタルカメラを提供する。【解決手段】撮影コマ間制御システムは、撮影者が撮影対象を観察するために、撮像センサー１０１から連続的に画像データを出力し、この連続した画像データを表示装置１０２に表示するライブビュー表示システムを持ち、ストロボ１０４使用の連続撮影時には前コマの撮影後にストロボ充電を行い、その後にライブビュー表示を行い、その表示の後に次コマの撮影を行う。【選択図】図１
2016086207.tif 000002
【特許請求の範囲】
【請求項１】
撮影者が撮影対象を観察するために、撮像センサー（１０１）から連続的に画像データを出力し、この連続した画像データを表示装置（１０２）に表示するライブビュー表示システムを持ち、ストロボ（１０４）使用の連続撮影時には前コマの撮影後にストロボ充電を行い、その後にライブビュー表示を行い、その表示の後に次コマの撮影を行う撮影コマ間制御システム（１００）を持つことを特徴とするデジタルカメラ。
【請求項２】
撮影者が撮影対象を観察するために、撮像センサー（１０１）から連続的に画像データを出力し、この連続した画像データを表示装置（１０２）に表示するライブビュー表示システムと画像から適正なピント位置を算出する自動ピント演算システム（１００）を持ち、ストロボ（１０４）使用の連続撮影時には前コマの撮影後にストロボ充電を行い、その後にライブビュー表示を行い、その表示の後に連続的画像データ出力から撮影対象までの距離を計り必要に応じてレンズ（１０５）を駆動し自動でピント合わせを行い、そのピント合わせの後に次コマの撮影を行う撮影コマ間制御システム（１００）を持つことを特徴とするデジタルカメラ。
【請求項３】
撮影者が撮影対象を観察するために、撮像センサー（１０１）から連続的に画像データを出力し、この連続した画像データを表示装置（１０２）に表示するライブビュー表示システムと画像から適正な露出を算出する自動露出演算システム（１００）を持ち、ストロボ（１０４）使用の連続撮影時には前コマの撮影後にストロボ充電を行い、その後にライブビュー表示を行い、その表示の後に連続的画像データ出力から撮影対象の明るさを計り自動で露出合わせを行い、その露出合わせの後に次コマの撮影を行う撮影コマ間制御システム（１００）を持つことを特徴とするデジタルカメラ。
【発明の詳細な説明】
【技術分野】
【０００１】
本発明は、デジタルカメラに関し、特にストロボ使用での連続撮影時の撮影コマ間の表示に関する。
【背景技術】
【０００２】
従来、ストロボを充電する際は充電ノイズが発生し、その間はカメラの撮像センサーからの画像の読み出しが正しく行えないという問題があった。
【０００３】
それに対して特許文献１では、撮影者が撮影対象を観察するために、撮像センサーから連続的に画像データを出力し、この連続した画像データを表示装置に表示するライブビューモードと、ライブビューモードの動作を許可または禁止するためのモードスイッチを備えたカメラにおいて、モードスイッチによりライブビューモードの動作が許可された直後にストロボの充電動作行うとともに、表示装置への連続した画像データの表示はストロボ充電完了後に実行する技術が開示されている
【先行技術文献】
【特許文献】
【０００４】
【特許文献１】特開２００９−３００６０５号公報
【発明の概要】
【発明が解決しようとする課題】
【０００５】
しかしながら、上述の特許文献１に開示された従来技術では、ライブビューモード起動時のみの言及であり、連続撮影を行った際の撮影コマ間の処理については考慮されておらず、連続撮影時にコマ間の表示を行った後にストロボ充電を行うと、ストロボ充電のために撮影者が撮影直前の撮影対象を確認できない状態で次コマの撮影に入ってしまう可能性がある。またコマ間でライブビュー画像を使ってのサーボＡＦや露出合わせを行おうとすると撮影直前にストロボ充電によってライブビュー画像が途切れてしまうためサーボＡＦや露出が充分に追従できないという問題も発生してしまう。
【０００６】
そこで、本発明の目的は、ストロボ使用連続撮影時のコマ間表示において撮影者が撮影対象を確認した状態、サーボＡＦや自動露出合わせが追従した状態で次コマの撮影を行うことを可能にしたデジタルカメラを提供することにある。
【課題を解決するための手段】
【０００７】
上記の目的を達成するために、本発明のデジタルカメラは、ストロボ使用の連続撮影時にストロボ充電を行ってからコマ間表示を行うことを特徴とする。
【発明の効果】
【０００８】
本発明によれば、連続撮影時のコマ間表示において撮影者が撮影対象を確認した状態で次コマの撮影を行うことを可能にしたデジタルカメラの提供を実現できる。
【図面の簡単な説明】
【０００９】
【図１】本発明の実施形態に係わるカメラシステムの構成を示ブロック図である。
【図２】本発明の第一の実施形態の動作を示すフローチャートである。
【図３】本発明の第二の実施形態の動作を示すフローチャートである。
【図４】本発明の第三の実施形態の動作を示すフローチャートである。
【発明を実施するための形態】
【００１０】
以下に、本発明の好ましい実施の形態を、添付の図面に基づいて詳細に説明する。
【実施例１】
【００１１】
図１、図２を参照して、本発明の第１の実施例による、デジタルカメラ制御について説明する。図１は本発明の実施形態に係わるカメラシステムの構成を示ブロック図である。図２は本発明の第一の実施形態の動作を示すフローチャートである。
【００１２】
１００はカメラ制御を行うマイクロコンピュータである。１０１はカメラの画像取り込みを行う撮像センサーである。
１０２はカメラがユーザーに対して撮影画像を表示する表示装置である。１０３はカメラがユーザーからの撮影指示を受け付けるためのシャッターボタンである。１０４はカメラが撮影のために発光させるストロボである１００のマイクロコンピュータからの制御により発光制御と充電制御を行うことができる。
【００１３】
１０５はカメラの被写体像を１０１の撮像センサー上に結像させるためのレンズである。１００のマイクロコンピュータからの制御により光軸方向に駆動させることができる。１０１，１０２，１０３，１０４，１０５の各ブロックは１００のマイクロコンピュータに接続されており、１００のマイクロコンピュータの制御によって機能する。
【００１４】
カメラは起動すると図１の１００のカメラ制御マイクロコンピュータからの指示で１０１の撮像センサーから周期的に画像を取り込み順次１０２の表示装置にライブビュー表示を行う。１００のマイクロコンピュータは図１の１０３のシャッターボタンの操作状態を監視しており、図２のフローチャートのＳ２０１でシャッターボタンを押されたことを検出するとＳ２０２に進み、撮影動作に入るために一旦ライブビュー表示を停止し、Ｓ２０３に進み撮影を行う。
【００１５】
Ｓ２０４でＳ２０３の撮影がストロボ撮影だったかどうかを判別しストロボ撮影であればＳ２０５に進み図１の１０４のストロボモジュールに対しストロボ充電を行う。その後、Ｓ２０６でストロボ充電が完了したかどうかをチェックしストロボ充電が完了していれば１０１の撮像センサーからの周期的な画像を取り込みを再開し順次１０２の表示装置にライブビュー表示を行う。
【００１６】
Ｓ２０４でＳ２０３の撮影がストロボ撮影ではなかったと判別されればストロボ充電は行わずにＳ２０７のライブビュー表示を行う。ライブビュー表示を行った後には再度Ｓ２０１に戻りシャッターボタン状態をチェックして、押されていればＳ２０２からＳ２０７までのフローを繰り返し、押されていなければ本フローを抜けて通常状態に戻る。
【実施例２】
【００１７】
図１、３を参照して、本発明の第２の実施例による、デジタルカメラ制御について説明する。図３は本発明の第二の実施形態の動作を示すフローチャートである。
【００１８】
カメラは起動すると図１の１００のカメラ制御マイクロコンピュータからの指示で１０１の撮像センサーから周期的に画像を取り込み順次１０２の表示装置にライブビュー表示を行う。
【００１９】
１００のマイクロコンピュータは図１の１０３のシャッターボタンの操作状態を監視しており図３のフローチャートのＳ３０１でシャッターボタンを押されたことを検出するとＳ３０２に進み、撮影動作に入るために一旦ライブビュー表示を停止し、Ｓ３０３に進み撮影を行う。
【００２０】
Ｓ３０４でＳ３０３の撮影がストロボ撮影だったかどうかを判別しストロボ撮影であればＳ３０５に進み図１の１０４のストロボモジュールに対しストロボ充電を行う。その後、Ｓ３０６でストロボ充電が完了したかどうかをチェックしストロボ充電が完了していれば１０１の撮像センサーからの周期的な画像を取り込みを再開し順次１０２の表示装置にライブビュー表示を行う。
【００２１】
Ｓ３０４でＳ３０３の撮影がストロボ撮影ではなかったと判別されればストロボ充電は行わずにＳ３０７のライブビュー表示を行う。１００のマイクロコンピュータは１０１の撮像センサーから得られる周期的な画像からピント合わせ演算を行いその結果に応じて１０５のレンズを駆動させることでピント位置を調節しＳ３０９で画像から得られるピント位置が正しいかをチェックする。
【００２２】
Ｓ３０８からＳ３０９の自動ピント合わせ処理で画像のピントが正しく合っていると判断されたらその後には再度Ｓ３０１に戻りシャッターボタン状態をチェックして、押されていればＳ３０２からＳ３０９までのフローを繰り返し、押されていなければ本フローを抜けて通常状態に戻る。この時、Ｓ３０７のライブビュー表示後、ストロボ充完を行うことはせずにＳ３０８の自動ピント合わせに移行し、Ｓ３０９でピント合わせた状態のまますぐにＳ３０１からＳ３０３の撮影シーケンスに移行できるためピントがあった状態での撮影が可能となる。
【実施例３】
【００２３】
図１、４を参照して、本発明の第３の実施例による、デジタルカメラ制御について説明する。図４は本発明の第三の実施形態の動作を示すフローチャートである。
【００２４】
カメラは起動すると図１の１００のカメラ制御マイクロコンピュータからの指示で１０１の撮像センサーから周期的に画像を取り込み順次１０２の表示装置にライブビュー表示を行う。
【００２５】
１００のマイクロコンピュータは図１の１０３のシャッターボタンの操作状態を監視しており図４のフローチャートのＳ４０１でシャッターボタンを押されたことを検出するとＳ４０２に進み、撮影動作に入るために一旦ライブビュー表示を停止し、Ｓ４０３に進み撮影を行う。
【００２６】
Ｓ４０４でＳ４０３の撮影がストロボ撮影だったかどうかを判別しストロボ撮影であればＳ４０５に進み図１の１０４のストロボモジュールに対しストロボ充電を行う。その後、Ｓ４０６でストロボ充電が完了したかどうかをチェックしストロボ充電が完了していれば１０１の撮像センサーからの周期的な画像を取り込みを再開し順次１０２の表示装置にライブビュー表示を行う。Ｓ４０４でＳ４０３の撮影がストロボ撮影ではなかったと判別されればストロボ充電は行わずにＳ４０７のライブビュー表示を行う。１００のマイクロコンピュータは１０１の撮像センサーから得られる周期的な画像から露出合わせ演算を行い、Ｓ４０９で画像から得られる露出が正しいかをチェックする。
【００２７】
Ｓ４０８からＳ４０９の自動露出合わせ処理で画像の露出が正しく合っていると判断されたらその後には再度Ｓ４０１に戻りシャッターボタン状態をチェックして、押されていればＳ４０２からＳ４０９までのフローを繰り返し、押されていなければ本フローを抜けて通常状態に戻る。この時、Ｓ４０７のライブビュー表示後、ストロボ充完を行うことはせずにＳ４０８の自動露出合わせに移行し、Ｓ４０９で露出を合わせた状態のまますぐにＳ４０１からＳ４０３の撮影シーケンスに移行できるため露出があった状態での撮影が可能となる。
【００２８】
以上、本発明の好ましい実施形態について説明したが、本発明はこれらの実施形態に限定されず、その要旨の範囲内で種々の変形及び変更が可能である。
【符号の説明】
【００２９】
１００  カメラ制御マイクロコンピュータ、１０１  撮像センサー、１０２  表示装置、
１０３  シャッターボタン、１０４  ストロボ、１０５  レンズ
【図１】
2016086207.tif 000003
【図２】
2016086207.tif 000004
【図３】
2016086207.tif 000005
【図４】
2016086207.tif 000006